(57)【要約】【課題】本発明は、接着剤を使用することなく、製作が容易であり、かつ、可動する立体構造物の動きを精細に表現することのできるシート製可動式模型を提供する。【解決手段】人形１は、肩下部（第１の部材）３２と、上腕部（第２の部材）３３と、連結片Ｋとを備える。肩下部３２および上腕部３３は、所望する形に切り抜かれた可塑性のシートが折曲げられて対象となる立体に形作られる。そして、肩下部３２および上腕部３３は、互に重ね合わされる連結部位Ｊに回動軸Ｓを中心とする連結孔Ｐを各々設ける。連結片Ｋは、連結孔Ｐの口径よりも大きいシート状の外形を有し、舌片Ｔを備える。舌片Ｔは、連結孔Ｐの口径よりも内側となる位置まで外周から切り込まれて作られる。連結片Ｋは、舌片Ｔを連結孔Ｐに挿通することで肩下部３２と上腕部３３を回動可能に連結する。【選択図】      図６
2006346261.tif 000002
【特許請求の範囲】
【請求項１】
所望する形に切り抜かれた可塑性のシートが折曲げられて対象となる立体に形作られ、互に重ね合わされる連結部位に回動軸を中心とする連結孔が各々設けられた第１の部材および第２の部材と、
前記連結孔の口径よりも大きいシート状の外形を有し、前記連結孔の口径よりも内側となる位置まで外周から切り込まれて作られる舌片を備え、この舌片を前記連結孔に挿通することで前記第１の部材と前記第２の部材を回動可能に連結する連結片と
を備えることを特徴とするシート製可動式模型。
【請求項２】
前記回動軸は、前記第１の部材と前記第２の部材とが並ぶ方向に沿って設定され、
前記舌片は、前記連結孔を前記第１の部材と前記第２の部材のいずれか一方の内側から他方の内側へ挿通される
ことを特徴とする請求項１に記載のシート製可動式模型。
【請求項３】
前記回動軸は、前記第１の部材と前記第２の部材とが並ぶ方向を横切る方向に設定され、
前記舌片は、前記第１の部材と前記第２の部材とのどちらか一方が他方に外挿された部位で互に重なる前記連結孔に前記一方の外側から挿通される
ことを特徴とする請求項１に記載のシート製可動式模型。
【請求項４】
前記第１の部材および前記第２の部材の少なくとも一方から延びて前記回動軸を囲う軸カバーが設けられる
ことを特徴とする請求項３に記載のシート製可動式模型。
【請求項５】
前記舌片が突き出た側にその壁に沿って前記舌片を挟んであてがわれる当部材を備えることを特徴とする請求項１に記載のシート型可動式模型。
【請求項６】
前記立体の形状を維持するために、前記第１の部材および前記第２の部材の少なくとも一方は、
一部が少なくとも２枚以上重ね合わされる積層部位に接合孔が設けられた立体要素と、
前記接合孔の口径よりも大きいシート状の外形を有し、前記接合孔の口径よりも内側となる位置まで外周から切り込まれて作られる舌片を備え、前記積層部位でそれぞれ重ね合された前記接合孔にその一方の側から他方の側へ前記舌片が通される接合片と
で組み立てられていることを特徴とする請求項１に記載のシート製可動式模型。
【請求項７】
前記第１の部材および前記第２の部材の少なくとも一方は、
外部に面して開口するスロットが形成され、前記スロットに差し込まれる装着片を縁部に有する造形部材が取り付けられる
ことを特徴とする請求項１に記載のシート製可動式模型。
【請求項８】
前記造形部材は、外部に面してスロットを有し、このスロットを利用して他の造形部材が装着されることを特徴とする請求項６に記載のシート製可動式模型。
【請求項９】
前記連結部位で重なり合う前記連結片と前記第１の部材と前記第２の部材との少なくともいずれかの間に前記回動軸を囲って装着され、前記連結部位の摺動摩擦力を調整する補強部材を備えることを特徴とする請求項１に記載のシート製可動式模型。
【請求項１０】
前記連結片は、十文字に配置される４つの舌片を有し、対称の位置に配置される一対の舌片は、前記第１の部材の前記連結孔に挿通され、残りの一対の舌片は、前記第２の部材の前記連結孔に挿通されることを特徴とする請求項１に記載のシート製可動式模型。
【請求項１１】
所望する形に切り抜かれた可塑性のシートが折曲げられて対象となる立体に形作られ、回動軸を中心に回動可能に連結される第１の部材および第２の部材を備え、
前記第１の部材と前記第２の部材とを連結するべく互に重ね合わされる部位の一方に前記回動軸を中心とする連結孔が形成され、
前記第１の部材と前記第２の部材とを連結するべく互に重ね合わされる部位の他方に前記連結孔に挿通される舌片が前記シートを切り込んで形成される
ことを特徴とするシート製可動式模型。
【請求項１２】
前記立体の形状を維持するために、前記第１の部材および前記第２の部材の少なくとも一方は、
一部が少なくとも２枚以上重ね合わされる積層部位を有し、
これらの積層部位のうち最外層を除く他の積層部位に形成される接合孔と、
切り込みによって前記最外層の積層部位に設けられて前記接合孔に通される舌片と
を備えることを特徴とする請求項１または請求項１２に記載のシート製可動式模型。
【発明の詳細な説明】
【技術分野】
【０００１】
本発明は、任意の形に切り抜かれた可塑性のシートを折曲げて立体にした複数の部材を相対的に可動するように連結して構成するシート製可動式模型に関する。
【背景技術】
【０００２】
紙を折曲げて形成した可撓性のある複数のパーツを、連結金具で可動に連結することにより構成される紙製人形が特許文献１に開示されている。この紙製人形は、筒状に形成された断面形状が大きい順に胸部材、胴部材、腰部材をそれぞれ挿嵌させて胴部を構成している。腕部をこの胴部に連結するために、胴部幅方向に胸部材、胴部材、腰部材を全て貫通するように連結金具が通されている。
【０００３】
また、頭部を構成する複数の部材のうち首部材は、胴部に通された連結金具で胴部と一緒に貫通され、胴部に連結されている。脚部および腕部は、足首、膝関節、股関節、肘関節、肩関節に相当する部分がそれぞれ個別に連結金具で回動可能に連結されている。
【０００４】
各部をつなぐために用いられる連結金具は、いわゆる針金であり、ビニルコーティングが施されている。連結金具は、両端部が折曲げられ、交差した部分で捩られることで、貫通した部材から抜けないように処理されている。
【０００５】
また、立体の対象物を平面上に展開した図形を紙等のシートに印刷し、これをそれぞれ切り取って、折曲げたり辺と辺をのり代により貼り合わせたりして、各パーツおよびその連結部となる凹部または凸部を立体的に組み立てる可動式ペーパークラフトが特許文献２に開示されている。
【０００６】
この可動式ペーパークラフトの関節部は、一方に角柱状の軸を凸部として形成し、他方にこの凸部に係合する軸受孔を凹部として設ける。そしてこの凸部と凹部とを係合させることで関節部を構成している。また、可動式ペーパークラフトの関節部として、一方に平板上の円板軸を凸部として立設し、この凸部に係合するスリットを凹部として他方に設け、この凸部と凹部を嵌合させて関節部を構成することについても記載されている。
【０００７】
さらに、対象物の立体形状を構成する各パーツを展開図にしてこれら各パーツを個別に作るとともに、各パーツをを可動式に連結するための可動関節をパーツと同じく展開図にしたものから切り抜き、接着して回動軸および軸受を組み立てている。そして、可動関節を多数用いて、例えばロボットの場合、頭部、胴部、前腕、上腕、脚部などのパーツをそれぞれ可動関節で接続し、ロボットの立体形状を再現している。
【特許文献１】特開２００４−７７４号公報
【特許文献２】登録実用新案第３０６８３１４号公報
【発明の開示】
【発明が解決しようとする課題】
【０００８】
しかしながら、特許文献１に記載された紙製人形の場合、連結金具を使用しており、その末端は、各部を貫通して外面に突出させた後、捩られて止められている。したがって、外的美観を損ねるだけでなく、各部を形成する紙以外に、連結金具として針金を別途用意しなければならない。
【０００９】
また、特許文献２に記載された可動式ペーパークラフトの場合、立体形状の各パーツや可動関節をそれぞれ展開図にしたものを切り抜き、折曲げたり辺と辺とをのり代で貼り合わせることで、これらを個別に立体化して組み立てている。したがって、接着剤が乾くまでの時間を要するため製作開始から完成までに時間がかかり、初心者が簡単に製作してみようとする意欲を欠いてしまう。
【００１０】
また、接着剤を使用するため、はみ出した接着剤の処理が悪いと、手に付くだけでなく、各パーツの外面の装飾を汚してしまい、完成した時の見栄えが悪くなる。さらに、関節部などの細かな部品を接着して組み立てることは、初心者に不向きである。
【００１１】
そこで、本発明は、接着剤を使用することなく製作が容易であり、かつ、可動する立体構造物の動きを精細に表現することのできるシート製可動式模型を提供する。
【課題を解決するための手段】
【００１２】
本発明のシート製可動式模型は、第１の部材と、第２の部材と、連結片とを備える。第１の部材および第２の部材は、所望する形に切り抜かれた可塑性のシートが折曲げられて対象となる立体に形作られる。そして、第１の部材および第２の部材は、互に重ね合わされる連結部位に回動軸を中心とする連結孔を各々設ける。連結片は、連結孔の口径よりも大きいシート状の外形を有し、舌片を備える。舌片は、連結孔の口径よりも内側となる位置まで外周から切り込まれて作られる。連結片は、舌片を連結孔に挿通することで第１の部材と第２の部材を回動可能に連結する。
【００１３】
回動軸を第１の部材と第２の部材とが並ぶ方向に沿って設定する場合、舌片は、連結孔を第１の部材と第２の部材のいずれか一方の内側から他方の内側へ挿通する。回動軸を第１の部材と第２の部材とが並ぶ方向を横切る方向に設定する場合、舌片は、第１の部材と第２の部材とのどちらか一方が他方に外挿された部位で互に重なる連結孔に一方の外側から挿通する。
【００１４】
回動軸が第１の部材と第２の部材が並ぶ方向を横切る方向に設定される場合、第１の部材および第２の部材の少なくとも一方から延びて回動軸を囲う軸カバーを設ける。また、挿し込まれた連結片が脱落しないように、舌片が突き出た側の壁に沿って舌片を挟む当部材をあてがうことも好ましい。
【００１５】
第１の部材および第２の部材の少なくとも一方は、立体の形状を維持するために、立体要素と接合片とで組み立てる。立体要素は、一部が少なくとも２枚以上重ね合わされて互いの相対位置を固定する積層部位に接合孔が設けられる。接合片は、接合孔の口径よりも大きいシート状の外形を有し、接合孔の口径よりも内側となる位置まで外周から切り込まれて作られる舌片を備える。この接合片は、積層部位でそれぞれ重ね合された接合孔にその一方の側から他方の側へ舌片が通される。
【００１６】
この場合、連結孔と接合孔の大きさを同じ大きさに形成し、連結片と接合片とを同じ形状とする。部品が共通化され、組み立てが容易になる。また、連結部位で重なりあう連結片と第１の部材と第２の部材との少なくともいずれかの間に回動軸を囲って、連結部位の摺動摩擦力を調整する補強部材を装着する。
【００１７】
第１の部材および第２の部材の少なくとも一方は、外部に面して開口するスロットを設け、造形部材を取り付ける。造形部材は、スロットに差し込まれる装着片を縁部に有する。さらに、造形部材にも外部に面してスロットを設ける。そして、このスロットを利用して他の造形部材をさらに装着し、精細な外形を形成する。
【００１８】
また、他の形態の連結片は、十文字に配置される４つの舌片を有し、対称の位置に配置される一対の舌片は、第１の部材の連結孔に挿通され、残りの一対の舌片は、第２の部材の連結孔に挿通する。
【００１９】
また、立体の形状を維持するために、接合片を第１の部材および第２の部材と一体に設けても良い。具体的には、第１の部材および第２の部材の少なくとも一方は、一部が少なくとも２枚以上重ね合わされて互いの相対位置を固定する積層部位を有し、これらの積層部位のうち最外層を除く他の積層部位に接合孔を形成する。そして、際外層の積層部位に、接合孔に通される舌片を切り込みによって形成する。
【００２０】
本発明の他の形態のシート製可動式模型は、回動軸を中心に回動可能に連結される第１の部材と第２の部材とを備える。第１の部材および第２の部材は、所望する形に切り抜かれた可塑性のシートが折曲げられて対象となる立体に形作る。第１の部材と第２の部材とを連結するべく互に重ね合わされる部位の一方に回動軸を中心とする連結孔を形成し、他方に連結孔に挿通される舌片をシートを切り込んで形成する。
【発明の効果】
【００２１】
本発明のシート製可動式模型は、可撓性のシートを折曲げて立体に形作られた第１の部材と第２の部材とに開口された連結孔に連結片の舌片を差し込んで第１の部材と第２の部材とを回動可能に連結している。この場合、第１の部材と第２の部材とを相対的に回動させる回動軸は、これら第１の部材と第２の部材とが並ぶ方向、またはこれら第１の部材と第２の部材とが並ぶ方向を横切る方向のいずれに設定することも可能である。
【００２２】
そして、このシート製可動式模型は、第１の部材と第２の部材と連結片とで構成される可動部を複数組合せることで、可動部を有するもの、例えば、人間や人型のロボット、動物、あるいはアニメーションのキャラクター、車両、航空機、機械装置等様々な動きのあるものを好みのポーズで表現することができる。
【００２３】
また、各部材は、可撓性のシートを折曲げて立体に形作られ、互いの連結部は、シート状の連結片が連結孔に差し込まれることによって、回動可能に連結される。つまり、平坦なシートからシート製可動式模型に作り上げる過程において、接着剤や特別なジョイント、針金などを一切必要としない。
【００２４】
そのため、このシート製可動式模型は、組立作業が簡単であり、また、接着剤を使用した場合に必要となる乾燥時間が一切無いので、製作時間も短時間で製作することができる。さらに、接着剤を一切使用しないため、組立作業中に接着剤がはみ出して周辺を汚すことも無く、本発明のシート製可動式模型は、出来上がった外観の見栄えが良い。
【００２５】
また、シート製可動式模型は、シートから切り抜かれたパーツを折曲げることによって対象となる立体に成形するので、組み立てられる前のシートの段階で、出来上がった時に外面となる範囲に様々な装飾の印刷を施すことが容易である。
【発明を実施するための最良の形態】
【００２６】
本発明に係る第１の実施形態のシート製可動式模型について、人形１を一例に図１から図２１を参照して説明する。そこで、説明の便宜上、名称および動作方向の呼び方は、人体に即したものとする。つまり、頭の側を上、足先の側を下、正中面を基準に右、左をそれぞれ定義する。
【００２７】
図１に示す人形１は、頭頸部１０、大幹部２０、上肢部３０、下肢部４０によって構成されている。図１から図５に示すように、頭頸部１０、大幹部２０、上肢部３０、下肢部４０は、それぞれ造形部材５０が外部に装着されている。図２に示すように、頭頸部１０は、頭部１１と頸部１２とが回動可能に連結されている。大幹部２０は、胸部２１と胴部２２と腰部２３とが回動可能に連結されている。
【００２８】
上肢部３０は、図３に示す右腕３０Ｒと図４に示す左腕３０Ｌがそれぞれ肩上部３１、肩下部３２、上腕部３３、肘部３４、前腕部３５、手首部３６、掌部３７Ｒ，３７Ｌがそれぞれ回動可能に連結されて構成されている。図５に示す下肢部４０は、右脚４０Ｒと左脚４０Ｌとがそれぞれ股関節上部４１、股関節下部４２、大腿部４３、膝部４４、下腿部４５、足部４６がそれぞれ回動可能に連結されて構成されている。
【００２９】
ここで、「連結部」とは、２つ以上の部材をつなぎ合わせる箇所を意味し、「可動部」とは、連結部のうち、特に動かすことのできる箇所を意味する。関節に相当する連結部は、２種類の可動部Ｍ１，Ｍ２に大別される。その代表的な構造を含む部分を図６から図１７に示す。いずれの可動部Ｍ１，Ｍ２も基本的に、第１の部材と第２の部材と連結片Ｋとで構成される。
【００３０】
この人形１は、図１に示すように２種類で合計２８箇所の可動部Ｍ１，Ｍ２を有している。これらの可動部Ｍ１，Ｍ２を有することで、上肢部３０の右腕３０Ｒ、左腕３０Ｌ、および下肢部４０の右脚４０Ｒ、左脚４０Ｌは、それぞれ屈曲、伸展、内転、外転、内旋、外旋させることができ、また、頭頸部１０、大幹部２０は、屈曲、伸展、回旋させることができる。
【００３１】
第１の構造の可動部Ｍ１は、第１の部材と第２の部材とが並ぶ方向に沿って回動軸Ｓが設定される。第１の部材と第２の部材とは、この回動軸Ｓを中心に相対的に回旋する。そこで、第１の構造の可動部Ｍ１を回旋型とする。図６に示す肩下部３２と上腕部３３との連結部は、回旋型の可動部Ｍ１の一例である。肩下部３２を第１の部材とし、上腕部３３を第２の部材とすると、肩下部３２および上腕部３３は、組み立てることでそれぞれ対象となる立体に仕上がるように所望する形に切り抜かれたシートでできている。
【００３２】
シートの材質は、折曲げた状態である程度の剛性を有する可塑性のものであれば良い。加工および外装となる表面への着色および装飾を考慮すると、厚手の紙であることが好ましい。質感や弾力性なども充実させるために、樹脂性のシート、金属性のシート、あるいはコーティングされた合紙を用いても良い。
【００３３】
各部材用に切り抜かれたシートは、予め設定される稜線に沿って折曲げられ、立体に形成された立体要素Ｑとなる。この場合、個々の立体要素Ｑは、剛性を高めこの形状を維持するために、折り返されたその一部が重なり合うように構成された積層部位Ｈが設けられている。この代表例として、肩下部３２を展開した斜視図を図１０に示す。肩下部３２は、二重に重ねられる積層部位Ｈを有している。
【００３４】
積層部位Ｈは、重ね合わせた積層部位Ｈを互に固定するための接合孔Ｆを有しており、接合片Ｇが装着される。接合片Ｇは、接合孔Ｆの口径よりも大きい外形を有し、接合孔Ｆの口径よりも内側になる位置まで切り込まれて作られる舌片Ｔを備える。本実施形態において、接合片Ｇは、舌片Ｔを２つ有している。なお、舌片Ｔの数は、１つや３つ以上でもよい。
【００３５】
以上のように形成された、肩下部３２と上腕部３３とは、連結するために互に重ね合わされる連結部位Ｊに、回動軸Ｓを中心とする連結孔Ｐをそれぞれ有している。連結孔Ｐには、上腕部３３の内側から肩下部３２の内側に向かって連結孔Ｐに挿通される舌片Ｔを有した連結片Ｋが装着される。連結片Ｋは、シート状の部材で作られ、連結孔Ｐの口径よりも外径が大きい。
【００３６】
舌片Ｔは、連結片Ｋの外周から連結孔Ｐの口径の内側となる位置まで切り込まれて連結片Ｋに一体に作られている。この連結片Ｋは、立体要素Ｑの接合孔Ｆに差し込まれる接合片Ｇと同じ形である。連結部位Ｊにおいて積層される部材の枚数が多い場合は、舌片Ｔを長くした連結片Ｋを適用すればよい。
【００３７】
特に、第１の構造の可動部Ｍ１は、回動軸Ｓに沿う方向に引張荷重が掛かると、連結片Ｋの舌片Ｔが連結孔Ｐから抜けてしまう可能性がある。そこで、図６に示すように、舌片Ｔが通された側に当部材Ｗを装着する。当部材Ｗは、舌片Ｔを連結孔Ｐよりも外側へ拡げた状態にこの舌片Ｔが突き出た側の壁に沿ってこの壁との間に挟み込む。当部材Ｗは、縁に係合凸部Ｗ１を有しており、この係合凸部Ｗ１が連結部位Ｊの縁で立ち上がる壁の基部に設けられる装着孔Ｊ１に差し込まれることによって、固定される。
【００３８】
また、回動軸Ｓ回りの摺動摩擦力を調整するために、図７に示すように、補強部材Ｕを肩下部３２と上腕部３３との連結部位Ｊの間に挿入する。連結部位Ｊに対する連結片Ｋの締付力を改善すればよいので、肩下部３２の連結部位Ｊと連結片Ｋとの間、上腕部３３の連結部位Ｊと連結片Ｋとの間に装着しても良い。また、図６に示すように、補強部材Ｕは、Ｃリング形に切り抜かれたシートである。組み立てる途中で取り付ける場合は、ワッシャ形に切り抜かれたシートを装着しても良い。補強部材Ｕの装着する枚数やその厚みは、求める摺動摩擦力になるように適宜調整すればよい。
【００３９】
第１の構造である回旋型の可動部Ｍ１は、肩下部３２と上腕部３３の連結部以外に、頸部１２と胸部２１、肩上部３１と胸部２１、胴部２２と腰部２３、腰部２３と股関節上部４１、股関節下部４２と大腿部４３の連結部にそれぞれ適用されている。この他、前腕部３５と手首部３６または手首部３６と掌部３７Ｒ，３７Ｌの連結部に回旋型の可動部Ｍ１を適用することも好ましい。
【００４０】
第２の構造の可動部Ｍ２は、第１の部材と第２の部材とが並ぶ方向を横切る方向に回動軸Ｓが設定される。第１の部材と第２の部材は、この回動軸Ｓを中心に相対的に回動する。第２の構造の可動部Ｍ２を回動型とする。図８に示す上腕部３３と肘部３４、および肘部３４と前腕部３５のそれぞれ連結部は、回動型の可動部Ｍ２の一例である。
【００４１】
上腕部３３を第１の部材とし、肘部３４を第２の部材とすると、上腕部３３および肘部３４は、それぞれ組み立てることで対象となる立体に仕上がるように所望する形に切り抜かれたシートでできている。上腕部３３および肘部３４は、稜線で折曲げられて各々立体要素Ｑに組み上げられ、接合片Ｇで固定されている。
【００４２】
上腕部３３の下端が肘部３４の上端に外挿された部位で回動軸Ｓが横切る一対の対面にそれぞれ連結部位Ｊを有し、この連結部位Ｊに連結孔Ｐが互に重なるように設けられている。連結孔Ｐには、外側となる上腕部３３の外から連結片Ｋの舌片Ｔが挿通される。連結片Ｋの形状は、回旋型の可動部Ｍ１に用いられるものと同じ形状である。
【００４３】
同様に、肘部３４と前腕部３５との可動部Ｍ２について述べる。肘部３４を第１の部材とし、前腕部３５を第２の部材とすると、前腕部３５の上端が肘部３４の下端に外挿された部位で、回動軸Ｓが横切る一対の対面にそれぞれ連結部位Ｊを有している。この可動部Ｍ２に連結孔Ｐが互に重なるように設けられている。連結片Ｋの舌片Ｔは、外挿された前腕部３５の外側から差し込まれる。
【００４４】
回動型の可動部Ｍ２についても、回旋型の可動部Ｍ１と同様に、回動軸Ｓ回りの摺動摩擦力を調整するため、図８および図９に示すように肘部３４の連結部位Ｊと上腕部３３の連結部位Ｊとの間に補強部材Ｕを挿入すると良い。
【００４５】
上腕部３３と肘部３４、および肘部３４と前腕部３５のそれぞれ回動軸Ｓは、平行に配置されている。したがって、右腕３０Ｒおよび左腕３０Ｌは、それぞれ肘部３４で９０°以上屈曲させることができ、人間の肘の動きをより精細に表現することができる。
【００４６】
第２の構造である回動型の可動部Ｍ２は、上述の上腕部３３と肘部３４、肘部３４と前腕部３５の連結部以外に、頭部１１と頸部１２、胸部２１と胴部２２、肩上部３１と肩下部３２、前腕部３５と手首部３６、股関節上部４１と股関節下部４２、大腿部４３と膝部４４、膝部４４と下腿部４５、下腿部４５と足部４６の連結部にそれぞれ適用されている。特に、大腿部４３と膝部４４、膝部４４と下腿部４５では、肘部３４と同様に回動軸Ｓが平行に配置され、人間の膝の動きをより精細に表現することができる。
【００４７】
なお、頭部１１と頸部１２、前腕部３５と手首部３６、下腿部４５と足部４６の連結部には、それぞれ、部材どうしが並ぶ方向を左右に横切る方向に設定される回動軸Ｓだけでなく、前後に横切る方向にさらに回動軸を設定してもよい。この場合、それぞれの部材の間に中継部材を新たに設け、この中継部材を介して第１の部材と第２の部材とを互に交差する回動軸Ｓにそれぞれ対応させて取り付ける。これにより、さらに頚椎、手首、足首の動きを精細に表現できる。
【００４８】
以上、第１の部材と第２の部材とを回動可能に連結する第１の構造の回旋型の可動部Ｍ１と、第２の構造の回動型の可動部Ｍ２を各所に適用することで、人形１が構成されている。次に、上述の２つの基本構造を備える可動部Ｍ１，Ｍ２のうち、特徴的な個所についてさらに詳述する。
【００４９】
肩上部３１は、図１１に示すように、肩カバー３１１と肩関節部材３１２とで構成されている。肩カバー３１１は、上壁３１１ａの内側縁から下に向かってこの肩カバー３１１の連結部位Ｊの連結孔Ｐに一部覆い被さる位置まで延びる差込片３１１ｂを有している。この差込片３１１ｂは、上側から肩関節部材３１２の連結部位Ｊと重なるように挿入される。したがって、肩カバー３１１は、肩関節部材３１２を胸部２１に対して回旋させると、肩関節部材３１２とともに回る。
【００５０】
したがって、肩上部３１は、横から見て伸展させた腕全体を描円運動させることができる。肩関節部材３１２の内側から胸部２１に差し込まれた連結片Ｋが抜けないように、図６に示した当部材Ｗと同様に、胸部２１の内側から当部材Ｗがあてがわれる。この当部材Ｗは、肩上部３１と胸部２１との連結部位Ｊから頸部１２までの間に装着される造形部材５０と一体に設けられている。
【００５１】
また、肩関節部材３１２を構成する立体要素Ｑは、肩下部３２との連結部となる回動型の可動部Ｍ２の回動軸Ｓを囲う軸カバー３１２ａが一体に設けられている。軸カバー３１２ａは、折目３１２ｂが一定の間隔で設けられており、図６に示した肩下部３２と連結された後、連結片Ｋの舌片Ｔを隠すように回動軸Ｓを囲う形に折曲げられる。
【００５２】
股関節上部４１と股関節下部４２との連結部を図１２に示す。股関節上部４１は、シートを折曲げて立体要素Ｑにした後、積層部位Ｈに接合片Ｇが取り付けられている。股関節下部４２は、大腿部４３と回旋型の可動部Ｍ１で連結される連結部位Ｊと、股関節上部４１と回動型の可動部Ｍ２で連結される連結部位Ｊとが一体に切り抜かれたシートである。股関節下部４２は、回動型の可動部Ｍ２の連結部位Ｊとなる壁を回旋型の可動部Ｍ１の連結部位Ｊとなる壁に対して折り起して形成された立体要素Ｑである。
【００５３】
腰部２３と股関節上部４１との連結部は、回旋型の可動部Ｍ１であり、その構造は、図１３に示すように、シートを折曲げて立体要素Ｑにした腰部２３の連結部位Ｊに対し、股関節カバー４１１の積層部位Ｈを挟んで図１２に示した股関節上部４１の連結部位Ｊを連結片Ｋで取り付ける。回動型の可動部Ｍ２の回動軸Ｓを囲う軸カバー４１ａが股関節上部４１と一体に形成されている。軸カバー４１ａは、回動軸Ｓと平行な折目４１ｂが多数つけられている。股関節カバー４１１と股関節上部４１と股関節下部４２との組合せは、肩カバー３１１と肩関節部材３１２と肩下部３２との組合せとほぼ相似形であり、差込片３１１ｂを有していないことが異なる。
【００５４】
また、腰部２３の内側に連結孔Ｐを通された連結片Ｋの舌片Ｔは、腰部２３の内側から取り付けられる当部材Ｗと連結部位Ｊとの間に挟まれる。胴部２２との連結部位Ｊとなる壁２３１は、股関節上部４１を腰部２３の連結部位Ｊに装着し、当部材Ｗを装着した後で折曲げられて、腰部２３の内側から連結孔Ｐに通された連結片Ｋで固定される。
【００５５】
大腿部４３と股関節下部４２との連結部は、回旋型の可動部Ｍ１であり、その構造を図１４から図１６に示す。特に、図１５は、図１４における股関節下部４２と大腿部４３の連結部を、回動軸Ｓにおいて図１４の紙面に沿う平面で切った断面図であり、図１６は、図１５の断面と直交する面で切った断面図である。
【００５６】
図６に示した肩下部３２と上腕部３３との連結部において当部材Ｗは、肩下部３２側に装着され、その係合凸部Ｗ１は、連結部位Ｊと連続して立ち上がる壁の基部に設けられる装着孔Ｊ１に差し込まれることに対し、図１４に示す股関節下部４２と大腿部４３との連結部における当部材Ｗは、大腿部４３側に装着される。そして、当部材Ｗの係合凸部Ｗ１は、連結部位Ｊが繋がっている壁と隣り合う壁で、連結部位Ｊと直接繋がっていない壁の縁に設けられる装着切欠Ｊ２に係止される。
【００５７】
胴部２２と腰部２３との連結部は、回旋型の可動部Ｍ１であり、その構造を図１７に示す。胴部２２は、股関節上部４１が連結された後の腰部２３の連結部位Ｊから挿出された連結片Ｋに、図１７に示すように、立体要素Ｑに組み上げられる前の状態で、連結される。そして、装着孔Ｊ１を使って当部材Ｗを装着した後、胴部２２は、立体要素Ｑに組み上げられ、積層部位Ｈが接合片Ｇで固定される。
【００５８】
以上のような方法で組み立てられた人形１は、図１に示すように外部に造形部材５０が装着される。造形部材５０は、シートを対象となる立体に折曲げて作られ、縁に装着片５１が設けられている。この装着片５１が、第１の部材や第２の部材となる各部を構成する立体要素Ｑの外部に面して開口するスロットＶに差し込まれる。特に、このスロットＶは、立体要素Ｑの稜線に沿って設けると、各立体要素Ｑを組み上げる際に、稜線に沿ってシートを折曲げ易く、さらに出来上がった時の見栄えも良い。
【００５９】
足部４６に甲および踵に相当する造形部材５０を取り付ける場合を図１８に示し、下腿部４５の腓腹筋に相当する造形部材５０を取り付ける場合を図１９に示す。このように、立体要素ＱのスロットＶに造形部材５０を取り付けることによって、立体要素Ｑの剛性が増すとともに、図１９に示すように各立体要素Ｑの積層部位Ｈに装着された接合片Ｇや、可動部Ｍ１，Ｍ２に装着された連結片Ｋを覆い隠すことができるため、人形１の外観の見栄えが良くなる。
【００６０】
図２に示す頭部１１は、顔面、左側頭部、右側頭部、後頭部をそれぞれ模した造形部材５０で前後左右の４方向から覆われている。特に、左側頭部および右側頭部の造形部材５０は、顔面および後頭部の造形部材５０の稜線に沿って設けられたスロットＶにも装着片５１が挿し込まれる。また、顔面の造形部材５０には、鼻を象った造形部材５２がさらに装着されている。頭部１１には、さらに髪型に相当する造形部材を取り付けても良い。
【００６１】
胸部２１には、大胸筋、広背筋、僧帽筋などを模して作られた造形部材５０が取り付けられている。胴部２２には、腹直筋、外腹斜筋を模して作られた造形部材５０が取り付けられている。腰部２３には、下腹部と殿部とを模した造形部材５０が装着されている。
【００６２】
上肢部３０である図３に示す右腕３０Ｒおよび図４に示す左腕３０Ｌの上腕部３３には、上腕二頭筋および上腕三頭筋に代表される肉付けの造形部材５０が前後左右の４方向から取り付けられ、前腕部３５には、腕橈骨筋や長掌筋、指屈筋などに代表される肉付けの造形部材５０が前後左右の４方向から取り付けられている。なお、図４において、左腕３０Ｌの前腕部３５の前側の造形部材は、連結部を図示するために外した状態である。
【００６３】
頭部１１の造形部材５０と同様に、上腕部３３および前腕部３５に横から取り付く造形部材５０の装着片５１のいくつかは、前後方向から装着された造形部材５０の稜線に沿って設けられるスロットＶに装着される。また、掌部３７Ｒ，３７Ｌには、親指に相当する部材が一体に作られており、さらにいわゆる人差指、中指、薬指、小指に相当する造形部材５３が、掌部３７Ｒ，３７Ｌを構成する立体要素の壁どうしの間にできた隙間から挿し込むように装着されている。
【００６４】
同様に、下肢部４０である右脚４０Ｒおよび左脚４０Ｌの大腿部４３には、大腿四頭筋および大腿二頭筋に代表される肉付けの造形部材５０が前後左右の４方向から取り付けられ、下腿部４５には、前脛骨筋や下腿三頭筋等に代表される肉付けの造形部材５０が前後左右の４方向から取り付けられている。上肢部３０の場合と同様に、横から取り付けられる造形部材５０の装着片５１のいくつかは、前後から取り付けられる造形部材５０の稜線に設けられるスロットＶに挿し込まれる。
【００６５】
以上のように構成された人形１は、図１のような直立した姿勢の他、正座姿勢、椅子などに腰をかけた状態の着座姿勢、立位および座位でのお辞儀、いわゆる股割り、前屈、ブリッジ、Ｙ字バランス、ボクシングなど格闘技のファイティングポーズ、腕立伏の姿勢、四つん這い、両膝を抱えた据わり姿勢、胡座など様々な姿勢にすることができる。
【００６６】
特に、各部を構成する部品は、シートから立体に接着剤を使わずに全て組み立てられるので、組み立てが容易であり、短時間で完成させることができる。そして、シートから作られるので、各部の外装となる部分や造形部材５０に、印刷によって様々な装飾を施すことで、様々なキャラクターに似せて作ることが容易である。
【００６７】
さらに、全てがシートで構成されており、展開されたシートの状態で提供することができるので、嵩張ることなく取扱いに優れている。そして、本や雑誌などとともに綴じ込んだり、紙製のパッケージの内側に印刷したりするなど付録として提供することが容易である。
【００６８】
次に、本発明に係る第２の実施形態のシート製可動式模型の第１の部材または第２の部材となる立体要素Ｑ１を図２０、図２１を参照して説明する。また、第１の実施形態の構成と同じ機能を有する構成は、同一の符号を付してその説明を省略する。図２０に示す立体要素Ｑ１は、積層部位Ｈの最外層となる側に舌片Ｔが切り込みによって作られている。積層部位Ｈのその他の層には、この立体要素Ｑ１の内側に向かって舌片Ｔが挿し込まれる接合孔Ｆが設けられている。つまり、第１の実施形態における接合片Ｇを立体要素Ｑに一体に設けた状態である。
【００６９】
また、図２０に示す立体要素Ｑ１は、回旋型の可動部Ｍ１となる連結部位Ｊに、他の立体要素の連結部位Ｊに設けられる連結孔Ｐに挿し込まれる舌片Ｔを有している。特に、図２０に示される連結部位Ｊの舌片は、同じシートに形成される連結孔Ｐに通された後、他の立体要素の連結孔に通されるように構成されている。
【００７０】
図２１に示す構成は、回動型の可動部Ｍ２を構成する第１の部材Ａ１と第２の部材Ａ２である。図２１に示す第１の部材Ａ１は、第２の部材Ａ２に外挿しており、その連結部位Ｊに舌片Ｔが切り込みによって形成されている。第２の部材Ａ２の連結部位Ｊには、舌片Ｔが挿し込まれる連結孔Ｐが開口している。
【００７１】
第１の実施形態と同様に、図２０に示す回旋型の可動部Ｍ１に当部材Ｗを装着しても良い。また、図２０に示す可動部Ｍ１および図２１に示す可動部Ｍ２の摺動摩擦力を調整するために第１の実施形態と同様に補強部材Ｕを適宜に装着しても良い。
【００７２】
図２０および図２１に示すように連結片Ｋを用いずに回旋型の可動部Ｍ１、および回動型の可動部Ｍ２を作ることも可能である。つまり、図２０および図２１に示した可動部Ｍ１，Ｍ２および接合部の構造を第１の実施形態の人形１に適用することも可能である。これにより、部品点数が減り、組み立ても容易になる。また、第１の実施形態において用いた補強部材Ｕを別途装着しても良い。
【００７３】
本発明に係る第３の実施形態のシート製可動式模型の回旋型の可動部Ｍ１について、図２２を参照して説明する。図２２に示す連結部は、連結片Ｋ３の形状が第１の実施形態と異なる。図２２に示す連結片Ｋ３は、３つの舌片Ｔを有している。したがって、より連結部の保持剛性を高く設定することができる。
【００７４】
本発明に係る第４の実施形態のシート製可動式模型の回旋型の可動部Ｍ１について、図２３を参照して説明する。図２３に示す連結部において、連結片Ｋ４は、４つの舌片Ｔを有し、第１の部材Ａ１と第２の部材Ａ２の間に配置されている。４つの舌片Ｔは、十文字に配置される。対称の位置に配置される一対の舌片Ｔは、第１の部材Ａ１の連結孔Ｐに挿通され、残りの一対の舌片Ｔは、第２の部材Ａ２の連結孔Ｐに挿通される。
【００７５】
このように構成することで、連結部を組み立てる際に第１の部材Ａ１と第２の部材Ａ２の一方の内側に指を入れて連結片Ｋを押さえることができない場合でも、第１の部材Ａ１と第２の部材Ａ２とを連結片Ｋ４で容易に連結させることが可能である。
【００７６】
また、各々舌片Ｔが挿し込まれる第１の部材Ａ１および第２の部材Ａ２の内側に当部材Ｗを先に装着しておいても良い。さらに、２つの立体要素を互に固定する接合片としてもこの連結片Ｋ４を利用することができる。
【００７７】
本発明に係る第５の実施形態のシート製可動式模型の造形部材５５について、図２４に示す。この造形部材５５は、バイザーやシールドとして頭部１１に装着された状態を図２４に示す。造形部材５５は、透明な合成樹脂のシートで作られ、他の造形部材５０と同様に立体要素ＱのスロットＶに装着片５１が挿し込まれる。例えば、車両や航空機の窓ガラスなど、実際に対象となる立体が透明な部材や、透視模型などの外装として、このような透明な部材を用いることで、より豊かな造形を表現することが可能である。
【図面の簡単な説明】
【００７８】
【図１】本発明に係る第１の実施形態のシート製可動式模型の人形を示す斜視図。
【図２】図１に示した人形の頭頸部と大幹部との斜視図。
【図３】図１に示した人形の上肢部の右腕の斜視図。
【図４】図１に示した人形の上肢部の左腕の斜視図。
【図５】図１に示した人形の下肢部の斜視図。
【図６】図３および図４に示した肩下部と上腕部との連結部の分解斜視図。
【図７】図６に示した肩下部と上腕部との連結部の断面図。
【図８】図３および図４に示した上腕部と肘部と前腕部との連結部の分解斜視図。
【図９】図８に示した上腕部と肘部との連結部の断面図。
【図１０】図６に示した肩下部を展開した状態の斜視図。
【図１１】図４に示した肩上部の分解斜視図。
【図１２】図５に示した下肢部の股関節上部と股関節下部との連結部の分解斜視図。
【図１３】図５に示した腰部と股関節上部と股関節下部と連結部の分解斜視図。
【図１４】図５に示した股関節下部と大腿部との連結部の分解斜視図。
【図１５】図１４に示した股関節下部と大腿部との連結部の断面図。
【図１６】図１４に示した股関節下部と大腿部との連結部の断面図。
【図１７】図２に示した胴部と腰部との連結部の分解斜視図。
【図１８】図５に示した足部と造形部材の分解斜視図。
【図１９】図５に示した下腿部と造形部材との分解斜視図。
【図２０】本発明に係る第２の実施形態のシート製可動式模型の立体要素を展開した状態を示す斜視図。
【図２１】本発明に係る第２の実施形態のシート製可動式模型の回動型の可動部を示す斜視図。
【図２２】本発明に係る第３の実施形態のシート製可動式模型の回旋型の可動部を示す分解斜視図。
【図２３】本発明に係る第４の実施形態のシート製可動式模型の回旋型の可動部を示す分解斜視図。
【図２４】本発明に係る第５の実施形態のシート製可動式模型の立体要素と造形部材とを示す分解斜視図。
【符号の説明】
【００７９】
１…人形（シート製可動式模型）、１０…頭頸部、１１…頭部、１２…頸部、２０…大幹部、２１…胸部、２２…胴部、２３…腰部、３０…上肢部、３０Ｒ…右腕、３０Ｌ…左腕、３１…肩上部、３２…肩下部、３３…上腕部、３４…肘部、３５…前腕部、３６…手首部、４０…下肢部、４０Ｒ…右脚、４０Ｌ…左脚、４１…股関節上部、４２…股関節下部、４３…大腿部、４４…膝部、４５…下腿部、４６…脚部、５０，５２，５３，５５…造形部材、５１…装着片、３１２ａ，４１ａ…軸カバー、Ａ１…第１の部材、Ａ２…第２の部材、Ｆ…接合孔、Ｇ…接合片、Ｈ…積層部位、Ｊ…連結部位、Ｋ，Ｋ３，Ｋ４…連結片、Ｍ１…（回旋型の）可動部、Ｍ２…（回動型の）可動部、Ｐ…連結孔、Ｑ，Ｑ１…立体要素、Ｓ…回動軸、Ｔ…舌片、Ｕ…補強部材、Ｖ…スロット、Ｗ…当部材。
【図１】
2006346261.tif 000003
【図２】
2006346261.tif 000004
【図３】
2006346261.tif 000005
【図４】
2006346261.tif 000006
【図５】
2006346261.tif 000007
【図６】
2006346261.tif 000008
【図７】
2006346261.tif 000009
【図８】
2006346261.tif 000010
【図９】
2006346261.tif 000011
【図１０】
2006346261.tif 000012
【図１１】
2006346261.tif 000013
【図１２】
2006346261.tif 000014
【図１３】
2006346261.tif 000015
【図１４】
2006346261.tif 000016
【図１５】
2006346261.tif 000017
【図１６】
2006346261.tif 000018
【図１７】
2006346261.tif 000019
【図１８】
2006346261.tif 000020
【図１９】
2006346261.tif 000021
【図２０】
2006346261.tif 000022
【図２１】
2006346261.tif 000023
【図２２】
2006346261.tif 000024
【図２３】
2006346261.tif 000025
【図２４】
2006346261.tif 000026
【手続補正書】
【提出日】平成18年11月1日(2006.11.1)
【手続補正１】
【補正対象書類名】特許請求の範囲
【補正対象項目名】請求項１
【補正方法】変更
【補正の内容】
【請求項１】
所望する形に切り抜かれた可塑性のシートが折曲げられて対象となる立体に形作られ、互に重ね合わされる連結部位に回動軸を中心とする連結孔が各々設けられた第１の部材および第２の部材と、
前記連結孔の口径よりも大きいシート状の外形を有し、前記連結孔の口径よりも内側となる位置まで外周から切り込まれて作られる舌片を備え、この舌片を前記第１の部材および前記第２の部材の互に重ね合された前記連結孔に挿通させて前記舌片が突き出た側の壁に沿って前記回動軸から離れる方向へ折り倒し前記第１の部材と前記第２の部材を前記回動軸を中心に回動可能に連結する連結片と
を備えることを特徴とするシート製可動式模型。
【手続補正２】
【補正対象書類名】特許請求の範囲
【補正対象項目名】請求項５
【補正方法】変更
【補正の内容】
【請求項５】
前記舌片が突き出た側にその壁に沿って前記舌片を挟んであてがわれる当部材を備えることを特徴とする請求項１に記載のシート製可動式模型。
【手続補正３】
【補正対象書類名】特許請求の範囲
【補正対象項目名】請求項１１
【補正方法】変更
【補正の内容】
【請求項１１】
所望する形に切り抜かれた可塑性のシートが折曲げられて対象となる立体に形作られ、回動軸を中心に回動可能に連結される第１の部材および第２の部材を備え、
前記第１の部材と前記第２の部材とを連結するべく互に重ね合わされる部位の一方に、前記回動軸を中心とする連結孔が形成され、
前記第１の部材と前記第２の部材とを連結するべく互に重ね合わされる部位の他方に、前記連結孔に挿通されて前記舌片が突き出た側の壁に沿って前記回動軸から離れる方向へ折り倒され前記回動軸を中心に前記第１の部材と前記第２の部材とを回動可能に連結する舌片が前記シートを切り込んで形成される
ことを特徴とするシート製可動式模型。
【手続補正４】
【補正対象書類名】特許請求の範囲
【補正対象項目名】請求項１２
【補正方法】変更
【補正の内容】
【請求項１２】
前記立体の形状を維持するために、前記第１の部材および前記第２の部材の少なくとも一方は、
一部が少なくとも２枚以上重ね合わされる積層部位を有し、
これらの積層部位のうち最外層を除く他の積層部位に形成される接合孔と、
切り込みによって前記最外層の積層部位に設けられて前記接合孔に通され前記積層部位の壁面に沿って倒される舌片と
を備えることを特徴とする請求項１または請求項１１に記載のシート製可動式模型。
【手続補正５】
【補正対象書類名】明細書
【補正対象項目名】００１２
【補正方法】変更
【補正の内容】
【００１２】
本発明のシート製可動式模型は、第１の部材と、第２の部材と、連結片とを備える。第１の部材および第２の部材は、所望する形に切り抜かれた可塑性のシートが折曲げられて対象となる立体に形作られる。そして、第１の部材および第２の部材は、互に重ね合わされる連結部位に回動軸を中心とする連結孔を各々設ける。連結片は、連結孔の口径よりも大きいシート状の外形を有し、舌片を備える。舌片は、連結孔の口径よりも内側となる位置まで外周から切り込まれて作られる。連結片は、舌片を第１の部材および第２の部材の互に重ね合された連結孔に挿通させて舌片が突き出た側の壁に沿って回動軸から離れる方向へ折り倒し第１の部材と第２の部材を回動軸を中心に回動可能に連結する。
【手続補正６】
【補正対象書類名】明細書
【補正対象項目名】００１９
【補正方法】変更
【補正の内容】
【００１９】
また、立体の形状を維持するために、接合片を第１の部材および第２の部材と一体に設けても良い。具体的には、第１の部材および第２の部材の少なくとも一方は、一部が少なくとも２枚以上重ね合わされて互いの相対位置を固定する積層部位を有し、これらの積層部位のうち最外層を除く他の積層部位に接合孔を形成する。そして、最外層の積層部位に、接合孔に通されて積層部位の壁面に沿って倒される舌片を切り込みによって形成する。
【手続補正７】
【補正対象書類名】明細書
【補正対象項目名】００２０
【補正方法】変更
【補正の内容】
【００２０】
本発明の他の形態のシート製可動式模型は、回動軸を中心に回動可能に連結される第１の部材と第２の部材とを備える。第１の部材および第２の部材は、所望する形に切り抜かれた可塑性のシートが折曲げられて対象となる立体に形作る。第１の部材と第２の部材とを連結するべく互に重ね合わされる部位の一方に回動軸を中心とする連結孔を形成し、他方に連結孔に挿通されて舌片が突き出た側の壁に沿って回動軸から離れる方向へ折り倒され回動軸を中心に第１の部材と第２の部材とを回動可能に連結する舌片をシートを切り込んで形成する。